(57)【要約】電気通信システムにおいて不正行為を検出するために、少なくとも１つの悪い請求番号レコード（ＢＢＮ）を使用するための方法は、呼び出し試みが複数の不正基準の任意のものを満たすときに、請求プロダクトを使用してなされた各呼び出し試みに対して、少なくとも１つのＢＢＮを生成するステップ、後の検索のために格納キューに少なくとも１つのＢＢＮを格納するステップ、そして分析に従って複数の不正制御カウンタを増加させるために、少なくとも１つのＢＢＮを検索および分析するステップを含む。電気通信システムにおいて、不正行為を検出するために複数のＢＢＮを使用するためのシステムは、受信した呼び出し試みに基づいて、ＢＢＮを生成するためのネットワークオペレータサービスプラットフォーム（ＯＳＰ）、生成されたＢＢＮを一時的に格納するためのネットワーク情報集中装置（ＮＩＣ）、そして格納されたＢＢＮを検索し、確認できないＢＢＮを取除き、確認可能なＢＢＮを分析し、分析に基づいて警告を発生するための不正モニタシステムを含む。
2005505193.tif 000002
【特許請求の範囲】
【請求項１】
請求プロダクトを使用して試みた呼び出しから派生した情報を使用する電気通信システムにおける、不正行為を検出するための方法であって、前記方法は、
（ａ）呼び出し試みが複数の不正基準の任意のものを満たすとき、請求プロダクトを使用してなされる、呼び出し試みに対する少なくとも１つのレコードを生成するステップと、
（ｂ）後の検索のために格納キューに少なくとも１つのレコードを格納するステップと、
（ｃ）分析に従って、複数の不正カウンタを増加するために、少なくとも１つのレコードを検索しかつ分析するステップを含む、方法。
【請求項２】
前記ステップ（ａ）において、複数の不正基準は、請求プロダクトに対する番号が遮断されているか否か、請求プロダクトに対する番号が無効であるか否か、あるいは呼び出し終了番号が遮断されているか否かの判定を含む、請求項１に記載の方法。
【請求項３】
請求プロダクトは呼び出しカードである、請求項１に記載の方法。
【請求項４】
請求プロダクトはクレジットカードである、請求項１に記載の方法。
【請求項５】
ステップ（ｃ）において、レコードが複数のフィルタ基準のいずれも満たさないときは、少なくとも１つのレコードのみが分析される、請求項１に記載の方法。
【請求項６】
複数のフィルタ基準は、呼び出し試みの呼び出し終了番号の長さが６桁より少ないか否か、および、呼び出し試みの呼び出し請求番号の長さが８桁より少ないか否かの判定を含む、請求項５に記載の方法。
【請求項７】
少なくとも１つのレコードが削除されるのは、それが複数のフィルタ基準の任意のものを満たすときである、請求項５に記載の方法。
【請求項８】
前記複数の不正カウンタに対して予め定められた閾値を設定するステップをさらに含み、前記ステップ（ｃ）において、複数の不正カウンタの各々は、予め定められた時間間隔内で、対応する予め定められた閾値を超えるかを判定するためにモニタされる、請求項１に記載の方法。
【請求項９】
警告が発生するのは、予め定められた時間間隔内で、対応する閾値を超えるときである、請求項８に記載の方法。
【請求項１０】
警告は不正制御端末にアクセスするよう不正分析者に通知するために不正制御端末に送信され、それによって不正分析者が不正制御防止手段を採るのを許可する、請求項９に記載の方法。
【請求項１１】
不正制御防止手段は、請求プロダクト番号の遮断、呼び出し終了番号の遮断、および呼び出し開始番号の遮断の１つを含む、請求項１０に記載の方法。
【請求項１２】
前記ステップ（ｃ）において、複数の不正カウンタは、呼び出し終了番号に対する呼び出し試みの数、呼び出し開始番号からの呼び出し試みの数、および請求プロダクト番号を使用した試みの数を数えるためのカウンタを含む、請求項１に記載の方法。
【請求項１３】
電気通信システムにおいて、不正行為を検出しかつ妨げるための方法であって、前記方法は、
（ａ）呼び出し試みの間、請求プロダクトに対する数字が無効であるか、あるいは遮断されているか、または対応する呼び出し終了番号が遮断されているかを判定するとき、請求プロダクトを使用してなされる各呼び出し試みに対してレコードを生成するステップと、
（ｂ）後の検索のために格納キューにレコードを格納するステップと、
（ｃ）処理のためにレコードを検索するステップと、
（ｄ）対応する呼び出し終了番号の長さが６桁より少なければ、あるいは呼び出し請求プロダクト番号の長さが８桁より少なければ、レコードを削除するステップと、
（ｅ）呼び出し終了番号に対応するレコードの数、呼び出し開始番号に対応するレコードの数、および呼び出し請求プロダクト番号に対応するレコードの数に基づいて、削除されない各対応するレコードに対して、複数の不正カウンタを増加するステップと、
（ｆ）複数の不正カウンタの各々に対して対応する予め定められた閾値を設定するステップと、
（ｇ）予め定められた時間間隔内で、対応する予め定められた閾値を超えるかを判定するために、複数の不正カウンタの各々をモニタするステップと、
（ｈ）予め定められた時間間隔内で、対応する閾値を超えると、警告を発生するステップと、
（ｉ）不正制御端末にアクセスするよう不正分析者に通知するために、不正制御端末に警告を送信し、それによって不正分析者が警告を分析し、分析に従って不正制御防止手段を採るのを許可するステップと、
（ｊ）ステップ（ａ）から（ｉ）を繰り返すステップを含む、方法。
【請求項１４】
電気通信システムにおいて不正行為を検出するためのシステムであって、
（ａ）請求プロダクトを使用して呼び出し試みを受信し、各受信した呼び出し試みに基づいてレコードを生成するための、ネットワークオペレータサービスプラットフォーム（ＯＳＰ）と、
（ｂ）生成されたレコードを一時的に格納するためのネットワーク情報集中装置（ＮＩＣ）と、
（ｃ）格納されたレコードを検索し、確認できないレコードを取除き、確認可能なレコードを分析し、そして分析に基づいて警告を発生するための不正モニタシステムを含む、システム。
【請求項１５】
ＯＳＰは、
（ａ）自動オペレータコンソール（ＡＯＣ）と、
（ｂ）手動オペレータコンソール（ＭＯＣ）と、
（ｃ）請求番号スクリーニングデータベース（ＢＮＳ）を含む、請求項１４に記載のシステム。
【請求項１６】
呼び出し試みはコンソールに経路制御され、コンソールはＡＯＣあるいはＭＯＣのいずれかであり、コンソールは請求プロダクトに対する番号が遮断されるか否か、請求プロダクトに対する番号が無効であるか否か、あるいは呼び出し終了番号が遮断されるか否かを判定し、そして前記条件部の任意のものが満たされるとき、レコードを生成するためにＢＮＳへアクセスする、請求項１５に記載のシステム。
【請求項１７】
不正モニタシステムは確認できないレコードを取除きかつ削除し、呼び出し終了番号の長さが６桁より少ないか、あるいは呼び出し請求番号の長さが８桁より少ないとき、レコードは確認できないと判定される、請求項１４に記載のシステム。
【請求項１８】
確認可能なレコードは、呼び出し終了番号に対する呼び出し試みの数、呼び出し開始番号からの呼び出し試みの数、そして請求プロダクト番号を使用する呼び出し試みの数に対応した、複数の不正カウンタを増加するために、不正モニタシステムによって分析される、請求項１４に記載のシステム。
【請求項１９】
複数の不正カウンタの任意のものが、予め定められた時間間隔内で、予め定められた閾値を超えるとき、警告が発生される、請求項１８に記載のシステム。
【請求項２０】
警告は、不正制御端末にアクセスするよう不正分析者に通知するために不正制御端末に転送され、それによって不正分析者が不正制御防止手段を採るのを許可する、請求項１９に記載のシステム。
【発明の詳細な説明】
【発明の分野】
【０００１】
［０００１］  この発明は、電気通信システムに対する不正なアクセスを防ぐことに関する。特に、この発明は失敗した呼び出し試みの間に生成された悪い請求レコードを使用して電気通信システムに対する不正なアクセスを妨げるための方法およびシステムに関する。
【関連技術の説明】
【０００２】
［０００２］  不正行為は、毎年電気通信産業に数十億ドルを要している。不正行為を犯すために多くの技術が使用されている。不正行為は長距離電話の料金を盗まれたクレジットカードあるいは呼び出しカードで支払うといった単純なもの、または、繰り返し私的ＰＢＸシステムを呼び出し、（試行錯誤または他のハッキング技術を用いて）外部線にアクセスするための正しいシーケンスを見つけ、ＰＢＸシステムを介して高くつく長距離電話を行うといった洗練されたルーピング技術を含み得る。電気通信産業は不正行為の異なる形式を識別するため、およびそのような不正行為を防ぐための方法を開発および実行するための徹底的で進行中の努力に巻き込まれている。
【０００３】
［０００３］  不正行為は、ある電気通信会社にとっては、他社よりも高額になる。例えば、不正呼び出しが、基礎をなす電気通信インフラストラクチャを所有している会社に向けられると、呼び出しの費用は、呼び出しが不正であっても、呼び出しをサポートするインフラストラクチャの所有者にアクセス料金を支払わなければならない、独立した会社に対する費用よりも安価である。しかしながら、いずれの場合も、産業に対する費用は膨大である。
【０００４】
［０００４］  不正制御の特別の方法、およびそれらを実行するためのシステムはこの産業において公知である。不正制御は不正のような呼び出しを識別するということと、呼び出しが不正のように思われると識別された後、応答するということに概念的に分けられてもよい。
【０００５】
［０００５］  不正と思われる呼び出しを識別する方法は、単純なものから洗練されたものまで様々であり、不正活動の特定の形式に一般に向けられる。例えば、呼び出しは、所有者によって盗まれたと報告された呼び出しカードを使用してなされたとき、その呼び出しは不正行為である可能性がある。不正呼び出しを特定するためのより洗練された方法およびシステムがこの発明の譲受人によって所有されている、「不正評価および報告システムならびにその方法」と名づけられた米国特許第５，７６８，３５４号に記載されている。不正活動は’３５４特許において、各呼び出しに対して生成された請求詳細レコードをモニタすることによって識別される。会社のデータベースが、呼び出しのために使用されている請求番号が紛失したもの、盗まれたもの等と報告されている単純な場合においては、請求詳細レコードは「悪い請求番号」としてそれを指定するヘッダを含む。呼び出しは直ちに不正であると識別され、警告がシステムにおいて発生される。
【０００６】
［０００６］  ’３５４特許は「特別サービス」を要求する呼び出しに向けられる。すなわち、これはオペレータまたは自動操作支援システムを介して行われる。そのような呼び出しは、公衆電話で番号を押し、カード上での磁気ストリップを盗み、あるいはオペレータとの会話によってのように、請求番号をマニュアルで呼び出し者が提供することを一般に要求する。それはまた呼び出し者に対して請求番号のための請求プロダクト（クレジットカード、呼び出しカード、プリペイド電話カードのような）のカテゴリを識別することを要求してもよい。請求プロダクトのカテゴリは請求番号のすべてまたは一部を識別データベースに格納された請求番号（または請求番号の範囲）と一致させることによって、システムによって代わりに識別されてもよい。識別データベースにおいては、格納された請求番号は請求プロダクトのカテゴリと関連づけられている。識別データベースは請求番号と、カテゴリのための請求プロダクトの特定の形式とを関連づけてもよい。例えば、請求番号のカテゴリがクレジットカードであると識別されると、識別データベースは請求番号を、ビザ、マスターカード、アメリカンエキスプレスなどのようなクレジットカードのタイプをさらに識別するために使用されてもよい。
【０００７】
［０００７］  ’３５４特許はまた請求番号の使用を長期に渡ってモニタすることによって不正活動を識別する。例えば、同じ請求番号を使用してある時間内に国内通話が行われた回数が閾値を超えると、警告が発生される。国際電話は同様に処理される。しかしながら、閾値は時間間隔内のより少ない呼び出しで警告が発生されるように調整されてもよい。加えて、閾値は不正呼び出しの高い割合が向けられている国に対する呼び出しに対してもさらに調整されてもよい。閾値は請求プロダクトによっても変化されてもよい。例えば、不正活動は第三者呼び出しに対してよりも、呼び出しカードでより起こりやすいと判定されてもよい。結果として、閾値は呼び出しカードプロダクトに対してより低く設定されてもよい。
【０００８】
［０００８］  ひとたび呼び出しが不正であるかもしれないという警告を呼び出しが発生すると、さらなる活動が、請求番号が不正に使用されているか否かをさらに判定するために行なわれるか、あるいはステップが、請求番号を使用したさらなる呼び出しを妨げるためになされてもよい。’３５４特許においては、警告が発生された後、請求番号に課された先の呼び出しに対するデータが、不正分析者に送信され、不正分析者はそのデータを分析し、カードを無効にするか否かについて判定してもよい。判定がカードを無効にするということであれば、’３５４特許は分析者が不正フラグを設定すると記載する。不正フラグの設定により、この請求番号を使用する次の呼び出しは妨害、あるいは遮断される。
【０００９】
［０００９］  各種レコードが、電気通信管理および不正制御において、使用されている。例えば、呼び出しが完了すると、呼び出し詳細レコード（ＣＤＲ）は、その呼び出しに関連して生成されてもよい。ＣＤＲは電気通信ネットワーク内で生成され、請求ソフトウエアプログラムによって収集される。そして請求ソフトウエアプログラムは疑わしいＣＤＲを選択し、それらを不正制御システムに送信する。不正制御システムは、情報を再確認し、情報を確立された閾値と比較することによって、疑わしいＣＤＲを処理し、閾値を超えると、警告を発生する。
【００１０】
［００１０］  先行技術の不正行為検出システムの問題は、ＣＤＲの生成より先に不正呼び出しが成功することを一般に要求していることである。これは不正行為妨害処理において、あらゆる不正行為検出が行なわれるのに先立ってサービスが盗まれなければならないという点で、固有の限界となる。これは、電話ハッカーに検出の前のステップにいる利点を与える。
【００１１】
［００１１］  洗練された電話ハッカーは、自動オペレータコンソールあるいは手動のオペレータコンソールを介して、無効のあるいは遮断された呼び出しカード番号を使用する呼び出しを試みることによって、この限界を悪用するかもしれない。呼び出し者はそれから呼び出しカード番号を再入力することを促がされ、レコードが生成されることなしに自由にそうすることができる。この手順は、試みのレコードが生成される前に、３回まで繰り返されてもよい。この知識を持って、洗練された電話ハッカーは２回試みた後受話器を戻し、再び呼び出し、どんな不正制御レコードも生成されることなしに、プロセスを繰り返し再スタートすることができる。
【発明の要約】
【００１２】
［００１２］  この発明は、呼び出しカード番号が遮断されるとき、終了番号が遮断されるとき、あるいは呼び出しカード番号が無効であるときはいつでも、呼び出される新しいレコードタイプに対して、各呼び出し試みに悪い請求番号レコード（ＢＢＮ）を生成する。ＢＢＮは、呼び出しが処理されたオペレータサイトを表すオペレータのサイト番号、オペレータプラットフォームに到達するために呼び出しが使用されるアクセス方法を表すアクセス方法、呼び出しを行うために使用される請求番号、呼び出しの開始番号、開始番号の識別情報タイプを判定するために使用される情報番号（例えば、公衆電話、家の電話、携帯電話、ＰＢＸ等）、請求番号のプロダクトタイプを表す請求タイプ（例えば、呼び出しカード、クレジットカード等）、どのように請求番号が処理されるかのアクセス特性を表す呼び出しタイプ、そしてネットワーク内で呼び出しがどのように終了されるかを表す終了方法を、好ましくは含む。
【００１３】
［００１３］  呼び出しカードあるいはクレジットカードのようなカード番号の不正使用を検出するための方法およびシステムを提供することが、この発明の１つの目的である。
【００１４】
［００１４］  この発明の別の目的は、カード番号の不正使用の検出を改善するために、ＢＢＮを生成するための方法およびシステムを提供することである。
【００１５】
［００１５］  この発明のさらに別の目的は、自動オペレータコンソール、あるいは手動のオペレータコンソールで、最初の悪い請求番号を受け取り次第、ＢＢＮを生成するための方法およびシステムを提供することである。
【００１６】
［００１６］  上の目的を達成するために、電気通信システムにおいて不正行為を検出するために少なくとも１つのＢＢＮを使用するための方法は、呼び出し試みが複数の不正基準の任意のものを満たすとき、請求プロダクトを使用してなされる各呼び出し試みに対して少なくとも１つのＢＢＮを生成し、後の検索のために格納キューに少なくとも１つのＢＢＮを格納し、分析に従って複数の不正制御カウンタを増加するために少なくとも１つのＢＢＮを検索しかつ分析するステップを含む。
【００１７】
［００１７］  電気通信システムにおける不正行為を検出するために、複数のＢＢＮを使用するためのシステムは、請求プロダクトを使用する呼び出し試みを受信し、受信した呼び出し試みに基づいてＢＢＮを生成するためのネットワークオペレータサービスプラットフォーム（ＯＳＰ）と、生成されたＢＢＮを一時的に格納するためのネットワーク情報集中装置（Network Information Concentrator）と、格納されたＢＢＮを検索し、確認できないＢＢＮを取除き、確認可能なＢＢＮを分析し、そして分析に基づいて警告を発生するための不正モニタシステムとを含む。
【好ましい実施例の詳細な説明】
【００１８】
［００２２］  図面を参照して、同様の参照番号は類似あるいは同様の要素を特定し、特に図１において、インテリジェントサービスネットワーク（ＩＳＮ）を含む電話システムの描写が示されている。開始電話１０からの呼び出し（開始自動番号識別あるいは開始ＡＮＩとしても参照される）は、ＭＣＩのような、最初の競争力のあるローカルエクスチェンジキャリア２０（ＣＬＥＣ）および最初のブリッジスイッチ（Ｂ／Ｓ）３０を介して、ＩＳＮ４０に接続される。処理の後、ＩＳＮ４０は第２Ｂ／Ｓ５０および第２ＣＬＥＣ６０を介して、呼び出しを終了電話７０（終了自動番号識別あるいは終了ＡＮＩとしても参照される）に経路制御する。
【００１９】
［００２３］  呼び出しがどこで開始しかつ終了するかによって、追加あるいは代わりのインフラストラクチャは、開始ＡＮＩとＩＳＮ間および／または終了ＡＮＩとＩＳＮ間の接続をサポートしてもよい。例えば、図１Ａに示されているように、呼び出しが外国の終了ＡＮＩ７０ａに対してなされると、呼び出しはＢ／Ｓ５０ａ、国際ゲートウエイ接続６０ａおよび外国のインフラストラクチャ６５ａのローカルスイッチを介して、ＩＳＮ４０ａから終了ＡＮＩ７０ａへ経路制御される。外国のインフラストラクチャ６５ａは、多数の地方およびローカルキャリアから形成され得る。
【００２０】
［００２４］  ＩＳＮプラットフォームを使用してなされる呼び出しに対するサポート接続は、ＩＳＮを所有しかつ／または操作する会社（「電気通信会社」として参照される）に請求される。従って、図１に戻って、ＣＬＥＣ２０、Ｂ／Ｓ３０、Ｂ／Ｓ５０およびＣＬＥＣ６０の接続費用は、電気通信会社の責任である。同様に、電気通信会社は、国際ゲートウエイ接続６０ａ、および外国のインフラストラクチャ６５ａを介して、外国でなされる接続を含む、図１Ａに示される接続費用に対して責任がある。もちろん、電気通信会社は、これらの費用を、自社の顧客、典型的には開始ＡＮＩの呼び出し者に知らせる。
【００２１】
［００２５］  例えば、呼び出し者が公衆電話である開始ＡＮＩで呼び出しカードを使用すると、呼び出しは電気通信会社によってカードアカウント番号に請求される。しかしながら、呼び出しが不正になされると、電気通信会社は依然として呼び出しに対してサポート接続費用を支払わなければならないが、呼び出しに対して顧客に請求できない。不正呼び出しをサポートする他の会社に対して、接続費用を支払わなければならないことが、電気通信会社に対する不正行為の原則費用である。ＩＳＮの使用に対する電気通信会社への損失も存在するが、内部使用の費用は、第３者接続費用に対する電気通信会社の責任と比較すると小さい。
【００２２】
［００２６］  図２を参照して、この発明に従う、呼び出しカード番号の不正使用を検出するためのシステムが説明されている。呼び出しカード呼び出しが、開始ＡＮＩ２００から終了ＡＮＩ２４０に対してなされると、呼び出しは第１Ｂ／Ｓ２１０を介して呼び出し処理のために、ＩＳＮオペレータサービスプラットフォーム２２０（ＯＳＰ）に経路制御される。成功した呼び出しは、通常の呼び出し処理を介して、第２Ｂ／Ｓ２３０を介して終了ＡＮＩ２４０で完了してもよい。ここでは、第１および第２ＣＬＥＣならびに他のインフラストラクチャは、明瞭にするために省略する。
【００２３】
［００２７］  ＢＢＮ２２５は、呼び出しカード番号が遮断されたとき、終了番号が遮断されたとき、あるいは呼び出しカード番号が無効であったときはいつでも、生成される。ＢＢＮ２２５は、呼び出しが処理されたオペレータサイトを表すオペレータサイト番号、オペレータプラットフォームに到達するために使用される呼び出しのアクセス方法を表すアクセス方法、呼び出しを行うために使用される請求番号、呼び出しの開始番号、開始番号の識別タイプを判定するために使用される情報番号（例えば公衆電話、家の電話、携帯電話、ＰＢＸ等）、呼び出しの終了番号、請求番号のプロダクトタイプを表す請求タイプ（例えば呼び出しカード、クレジットカード等）、請求番号がどのように処理されるかのアクセス特性を表す呼び出しタイプ、および呼び出しがネットワーク内でどのように終了したかを表す終了方法を、好ましくは含む。請求番号スクリーニングデータベース（ＢＮＳ）２２３は、呼び出しカード番号が遮断されるか、呼び出しカードが無効であるか、あるいは終了番号が遮断されるかを判定するためにアクセスされる。
【００２４】
［００２８］  ＢＢＮ２２５はＩＳＮ  ＯＳＰ２２０内の自動オペレータコンソール（ＡＯＣ）２２１、あるいは手動オペレータコンソール（ＭＯＣ）２２２で生成されてもよく、格納のためにネットワーク情報集中装置（ＮＩＣ）２５０へ送信される。ＮＩＣ２５０は呼び出しレコードデータベースである。ＮＩＣ２５０は不正モニタシステム（ＦＭＳ）２６０によってアクセスされる。ＦＭＳ２６０がＢＢＮを評価し、警告を発生するのは、開始番号から終了番号への、請求番号を使用した試みに対する閾値を超えるときである。閾値は、超過したとき、可能な不正行為を提示する警告を発生する数字である。例えば、呼び出し試みの数は、所与の一定時間において１００の閾値を有してもよい。その時間間隔内に、１０１回目の試みがなされれば、閾値警告は生成される。閾値は、異なる時間、異なる曜日、異なる請求カテゴリ、異なる地理的領域等に対して指定されてよく、アルゴリズムに基づいた規則に従って評価される。
【００２５】
［００２９］  ＦＭＳ２６０内には、正当に特定され得ないＢＢＮ２２５を取除くためのフィルタが存在する。例えば、そのようなフィルタの１つは、ＢＢＮ２２５を探してもよく、そこでは終了番号の長さは６桁より少ない。そのようなＢＢＮ２２５は、確認できないレコードを不正検出処理に追加するためだけに仕える。同様に、請求番号の長さが８桁より少ないＢＢＮ２２５もまた、取除かれる。
【００２６】
［００３０］  図３は、この発明に従う、呼び出しカード番号の不正使用を検出するための方法を説明するフローチャートである。試みた呼び出しは、開始ＡＮＩ２００から、Ｂ／Ｓ２１０を介してＩＳＮ  ＯＳＰ２２０へなされ、ＩＳＮ  ＯＳＰ２２０は、ステップ３００でＡＯＣ２２１あるいはＭＯＣ２２２によって処理される。呼び出し情報は、ステップ３０５で呼び出しカード番号を検証するために、ＢＮＳ２２３にアクセスすることで、ＡＯＣ２２１あるいはＭＯＣ２２２によって検査される。すなわち、ＢＮＳ２２３は、ステップ３１０で呼び出しカード番号が遮断されるか、ステップ３１１で呼び出しカード番号が無効であるか、あるいはステップ３１２で終了番号が遮断されるかを判定するためにアクセスされる。これら３つの基準のいずれか１つが満たされると、ＡＯＣ２２１あるいはＭＯＣ２２２は、ステップ３１５でＢＢＮ２２５を生成する。ＢＢＮ２２５はそれから、ＦＭＳ２６０による検索のために、ステップ３２０でＮＩＣ２５０に格納される。しかしながら、前述の基準が１つも満たされなければ、呼び出しはステップ３９０で通常に処理される。
【００２７】
［００３１］  ＦＭＳ２６０はステップ３２５からステップ３５０で、各ＢＢＮ２２５を検索しかつ評価する。より特定的には、ＢＢＮ２２５はステップ３２５でＦＭＳ２６０によって解読され、フィルタはステップ３３０−３４０で適用され、比較がステップ３４５で閾値に対してなされ、そして警告がステップ３５０で発生される。ステップ３３０および３３５において、例えば、終了番号の長さが６桁より少ないか否か、請求番号の長さが８桁より少ないか否かが各々判定される。どちらかの条件部が満たされると、各ＢＢＮ２２５は確認できないレコードを除去するために、ステップ３４０において取除かれかつ捨てられる。確認できないレコードは、ＦＭＳ２６０内で実行される統計学的な分析に追加のトラフィックを追加するだけである。そして次のＢＢＮ２２５が検索される。しかしながら、どちらの条件部も満たされなければ、ＢＢＮ２２５はＦＭＳ２６０によってさらに分析され、その中のデータは確立された閾値に関する各種カウンタを更新するために引き出され、そしてステップ３４５においてどの閾値も超えていないか否かが判定される。ここで、終了番号に対する試み、開始番号からの試み、請求番号を使用する試みについての閾値が、主として評価されるが、しかしながら、他の閾値も評価されてもよい。ステップ３４５において閾値を超えていると判定されれば、警告がステップ３５０でＦＭＳ２６０によって発生される。これらの警告は警告レポート内に収集され、不正分析者による評価に対して利用可能にされる。不正分析者は、ＦＭＳ２６０からの報告を収集する不正制御ワークステーションを使用して、報告を典型的にはモニタしかつ検索する。
【００２８】
［００３２］  従って、理解され得るように、この発明は失敗した呼び出し試みに対するレコードを提供することで、改善された不正検出技術を提供する。このデータは分析されてもよく、電話不正に対する争いにおいて、電気通信会社によって要求される常に増加している保有兵器に追加される。
【００２９】
［００３３］  この発明が不正呼び出しカード使用と関連して、模範的な実施例を使用して記載されてきたが、それは他の請求方法（請求プロダクト）にも同様に適用可能であり、この点において限定されるべきではない。例えば、この発明は類似の技術および適切な閾値とフィルタ基準を使用する不正なクレジットカード使用に対して、適用されてもよい。
【００３０】
［００３４］  この発明が最も実用的で、好ましい実施例であると現在考慮されていることと関連して記載されているが、この発明は開示された実施例に限定されないと理解されるべきであり、逆に、添付のクレームの精神および範囲内で、各種修正を覆うことが意図される。
【図面の簡単な説明】
【００３１】
［００１８］  この発明の上および他の目的、特徴および利点は、添付の図面と共にこの発明の模範的な実施例の以下の詳細な説明を考慮すれば、より明らかとなる。
【００３２】
［００１９］
【図１−１Ａ】インテリジェントサービスネットワーク（ＩＳＮ）を含む電話システムのブロック図である。
【００３３】
［００２０］
【図２】この発明に従った、カード番号の不正使用を検出するためのシステムを説明するブロック図である。
【００３４】
［００２１］
【図３】この発明に従った、カード番号の不正使用を検出するための方法を説明するフローチャートである。
【図１−１Ａ】
2005505193.tif 000003
【図２】
2005505193.tif 000004
【図３】
2005505193.tif 000005
【国際公開パンフレット】
2005505193.tif 000006
2005505193.tif 000007
2005505193.tif 000008
2005505193.tif 000009
2005505193.tif 000010
2005505193.tif 000011
2005505193.tif 000012
2005505193.tif 000013
2005505193.tif 000014
2005505193.tif 000015
2005505193.tif 000016
2005505193.tif 000017
2005505193.tif 000018
2005505193.tif 000019
2005505193.tif 000020
2005505193.tif 000021
2005505193.tif 000022
2005505193.tif 000023
2005505193.tif 000024
2005505193.tif 000025
2005505193.tif 000026
2005505193.tif 000027
【国際公開パンフレット（コレクトバージョン）】
2005505193.tif 000028
2005505193.tif 000029
【国際調査報告】
2005505193.tif 000030